(57)【要約】【課題】反射鏡と放射部とを有する開口面アンテナにおいて、側面カバーの形状を簡易な形状として、従来よりも生産性を向上させるとともに、低コスト化を図る。【解決手段】反射鏡と放射部とを有する開口面アンテナと、前記開口面アンテナを収納する側面カバーとを有し、前記側面カバーは、それぞれが多角形状で対向配置された複数のフレームで構成されたフレーム構造体に固定されるとともに、少なくとも一部が、前記開口面アンテナの電波の放射方向において当該フレーム構造体の外側に、はみ出して設けられている。【選択図】図３
2014131358.tif 000002
【特許請求の範囲】
【請求項１】
反射鏡と放射部とを有する開口面アンテナと、
前記開口面アンテナを収納する側面カバーとを有し、
前記側面カバーは、それぞれが多角形状で対向配置された複数のフレームで構成されたフレーム構造体に固定されるとともに、少なくとも一部が、前記開口面アンテナの電波の放射方向において当該フレーム構造体の外側に、はみ出して設けられていることを特徴とするアンテナ装置。
【請求項２】
前記側面カバーは、前記フレーム構造体からはみ出して設けられている部分が、設置された状態における垂直上方側であることを特徴とする請求項１に記載されたアンテナ装置。
【請求項３】
前記開口面アンテナは、オフセットパラボラアンテナであることを特徴とする請求項１または２に記載のアンテナ装置。
【請求項４】
前記放射部は、電磁ホーンであることを特徴とする請求項１ないし３のいずれか１項に記載のアンテナ装置。
【請求項５】
前記電波の放射方向とは反対の方向に、アンテナ装置を取り付けるための金具を有することを特徴とする請求項１ないし４のいずれか１項に記載のアンテナ装置。
【請求項６】
前記金具は、前記電波の放射方向を変更する手段を有することを特徴とする請求項５に記載のアンテナ装置。
【発明の詳細な説明】
【技術分野】
【０００１】
本発明は、アンテナ装置に係わり、特に、オフセットパラボラアンテナに適用して有効な技術に関する。
【背景技術】
【０００２】
マイクロ波通信あるいはレーダ等に用いられる開口面アンテナとして、オフセットパラボラアンテナが知られている。（下記特許文献１参照）
図６は、従来のオフセットパラボラアンテナの概略構成を示す図であり、同図（ａ）は側面図、同図（ｂ）は正面図である。
図６において、１は反射鏡、２は電磁ホーン、３は側面カバー、４は方向調整用雲台である。同図に示すように、従来のオフセットパラボラアンテナは、反射鏡１の開口面を、断面形状が円形状の側面カバー３で覆い、下方に方向調整用雲台４を配置している。
図６において、電磁ホーン２から放射された電磁波は、反射鏡１で反射され、図６の矢印Ａの方向に放射される。
【先行技術文献】
【特許文献】
【０００３】
【特許文献１】特開平１１−２３４０１０号公報
【発明の概要】
【発明が解決しようとする課題】
【０００４】
従来のオフセットパラボラアンテナに使用される側面カバーは、断面形状を円形状に作成する必要があり、材料費、加工費共に高額となるばかりか、製作時間も長くなるという問題点があった。
また、オフセットパラボラアンテナから放射される電波の方向を調整するために、方向調整用雲台４を必要とするので価格が高価にならざるを得ないという問題点もあった。
本発明は、前記従来技術の問題点を解決するためになされたものであり、本発明の目的は、反射鏡と放射部とを有する開口面アンテナにおいて、側面カバーの形状を簡易な形状として、従来よりも生産性を向上させるとともに、低コスト化を図ることが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）アンテナ装置は、反射鏡と放射部とを有する開口面アンテナと、前記開口面アンテナを収納する側面カバーとを有し、前記側面カバーは、それぞれが多角形状で対向配置された複数のフレームで構成されたフレーム構造体に固定されるとともに、少なくとも一部が、前記開口面アンテナの電波の放射方向において当該フレーム構造体の外側に、はみ出して設けられている。
（２）（１）において、前記側面カバーは、前記フレーム構造体からはみ出して設けられている部分が、設置された状態における垂直上方側である。
（３）（１）または（２）において、前記開口面アンテナは、オフセットパラボラアンテナである。
（４）（１）ないし（３）のいずれかにおいて、前記放射部は、電磁ホーンである。
（５）（１）ないし（４）のいずれかにおいて、前記電波の放射方向とは反対の方向に、アンテナ装置を取り付けるための金具を有する。
（６）（５）において、前記金具は、前記電波の放射方向を変更する手段を有する。
【発明の効果】
【０００６】
本願において開示される発明のうち代表的なものによって得られる効果を簡単に説明すれば、下記の通りである。
本発明によれば、反射鏡と放射部とを有する開口面アンテナにおいて、カバーの形状を簡易な形状として、従来よりも生産性を向上させるとともに、低コスト化を図ることが可能となる。
【図面の簡単な説明】
【０００７】
【図１】本発明の実施例１のオフセットパラボラアンテナの概略構成を示す図である。
【図２】本発明の実施例２のオフセットパラボラアンテナの背面図である。
【図３】本発明の実施例２のオフセットパラボラアンテナの側面図である。
【図４】本発明の実施例２のオフセットパラボラアンテナの斜視図である。
【図５】本発明の実施例２のフレーム構造体を示す概念図である。
【図６】従来のオフセットパラボラアンテナの概略構成を示す図である。
【発明を実施するための形態】
【０００８】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［実施例１］
図１は、本発明の実施例１のオフセットパラボラアンテナの概略構成を示す図であり、同図（ａ）は側面図、同図（ｂ）は正面図である。
図１において、１は反射鏡、２は電磁ホーン、３は側面カバーである。同図に示すように、本実施例のオフセットパラボラアンテナは、反射鏡１の開口面を、断面形状が６角形形状の側面カバー３で覆ったことを特徴とする。
本実施例の多角形の側面カバー３は、基本構成が、直線状、平面状の部品を使用するために、例えばＡｌなどの金属板から側面カバー３を切り出すときの切断線が直線となり、側面カバー３を製作する際の加工費を低減することができ、かつ、例えばＡｌなどの金属板において無駄となる領域が少なくなるので材料費を低減することができる。
このように、本実施例の多角形の側面カバー３によれば、材料費、加工費の低コストを図るとともに、製作時間も短縮することが可能となる。
これにより、本実施例のオフセットパラボラアンテナでは、従来のオフセットパラボラアンテナにおける、断面形状が円形状の側面カバー３を、断面形状が６角形以上の多角形形状の側面カバー３とすることにより、オフセットパラボラアンテナの広角指向特性を維持したまま生産性の向上を図ることが可能となる。
また、本実施例のオフセットパラボラアンテナでは、後述するように、ポールマウント金具を使用し、鋼管柱等の支柱へ取り付けられ、ポールマウント金具により、本実施例のオフセットパラボラアンテナの電波の放射方向を変更することができる。
これにより、本実施例では、高価な方向調整用雲台を必要としないので、オフセットパラボラアンテナの低コスト化を図ることが可能となる。
【０００９】
［実施例２］
図２は、本発明の実施例２のオフセットパラボラアンテナの背面図である。
図３は、本発明の実施例２のオフセットパラボラアンテナの側面図である。
図４は、本発明の実施例２のオフセットパラボラアンテナの斜視図である。
図５は、本発明の実施例２のフレーム構造体を示す概念図である。
本実施例のオフセットパラボラアンテナは、前述の実施例のオフセットパラボラアンテナのより具体的な構成の一例を示す図である。
本実施例のオフセットパラボラアンテナでは、図５に示すように、金属の板、あるいは棒（１１ａ〜１１ｆ）を、例えば溶接などにより接続して、６角形形状のフレームＡ（１１）を作成する。同様に、金属の板、あるいは棒（１２ａ〜１２ｆ）を、例えば溶接などにより接続して、６角形形状のフレームＢ（１２）を作成する。
そして、フレームＡ（１１）とフレームＢ（１２）とを、金属の板、あるいは棒（１０ａ〜１０ｆ）により、例えば溶接などにより接続して、反射鏡１と電磁ホーン２を固定するためのフレーム構造体を作成する。なお、図３、図４では、６個の金属の板、あるいは棒に（１０ａ〜１０ｆ）の符号を付与する代わりに、１個の金属の板、あるいは棒にのみ、符号１０を付与している。
そして、ネジ３０により、金属板（例えばＡｌ）をフレームに固定し、フレーム構造体の各々側面を金属板で覆い、図１に示す側面カバー３を形成する。反射鏡１は、側面カバー３にネジ３１で固定される。
【００１０】
また、図３、図４に示すように、オフセットパラボラアンテナ上部において、側面カバー３がフレーム構造体よりも外側にはみ出るように、側面カバー３を構成する金属板は台形状となっている。そのため、金属の板、あるいは棒（１０ｄ）よりも、金属の板、あるいは棒（１０ｃ，１０ｅ）の方が長く、金属の板、あるいは棒（１０ｃ，１０ｅ）よりも、金属の板、あるいは棒（１０ｂ，１０ｆ）の方が長く、金属の板、あるいは棒（１０ｂ，１０ｆ）よりも、金属の板、あるいは棒（１０ａ）の方が長くされている。
また、オフセットパラボラアンテナの開口部には、合成樹脂などで構成される正面側のカバーが取り付けられる場合もある。
フレーム構造体の底部も金属板で覆われているとともに、フレーム構造体の底部には、金属の板、あるいは棒（１３ａ，１３ｂ）が形成されており、この金属の板、あるいは棒（１３ａ，１３ｂ）に、取り付け金具１８がネジ３２により取り付けられる。
また、取り付け金具１８は、ネジ３３により、ポールマウント金具１７に取り付けられており、ポールマウント金具１７は、鋼管柱などから成る支柱２０に取り付けられる。これにより、フレーム構造体は、支柱２０に取り付けられる。
【００１１】
取り付け金具１８には、ネジ３３が挿入されるガイド孔３５が設けられており、このガイド孔３５に沿ってネジ３３の固定位置を変化させることにより、オフセットパラボラアンテナの電波の上下方向の放射方向（所謂チルト）を変更することができる。
また、フレーム構造体には、金属の板、あるいは棒（１４ａ，１４ｂ）が形成されており、金属の板、あるいは棒（１４ａ，１４ｂ）には、電磁ホーン２が固定される。電磁ホーン２には、導波管１５を介して励振電力が供給される。
また、フレーム構造体には、金属の板、あるいは棒（１３ｃ）も形成されているが、金属の板、あるいは棒（１３ｃ）は補強のためのものである。
なお、前述の説明では、断面形状が６角形以上の多角形形状の側面カバー３について説明したが、これに限定されるものではなく、側面カバー３は、３角形、４角形、５角形、あるいは、７角形以上の多角形形状の側面カバー３であってもよい。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００１２】
１  反射鏡
２  電磁ホーン
３  側面カバー
４  方向調整用雲台
１０ａ〜１０ｆ，１１ａ〜１１ｆ，１２ａ〜１２ｆ，１３ａ〜１３ｃ，１４ａ，１４ｂ
金属の板、あるいは棒
１１，１２  ６角形状のフレーム
１５  導波管
１７  ポールマウント金具
１８  取り付け金具
２０  支柱
３０，３１，３２，３３  ネジ
３５  ガイド孔
【図１】
2014131358.tif 000003
【図２】
2014131358.tif 000004
【図３】
2014131358.tif 000005
【図４】
2014131358.tif 000006
【図５】
2014131358.tif 000007
【図６】
2014131358.tif 000008